(57)【特許請求の範囲】
【請求項１】
被監視者の宅内における行動を検出する行動検出部と、
前記行動検出部により検出された行動に関する情報を取得する第１通信部と、前記第１通信部を介して取得した前記行動に関する情報と前記被監視者の宅内における行動の履歴とに基づいて、前記被監視者の異常の有無を判断するとともに、前記第１通信部を介して取得した前記行動に関する情報に基づいて、前記被監視者の異常の程度を判断する異常判断部とを含むセキュリティ装置とを備え、
前記セキュリティ装置は、前記被監視者の行動の履歴に基づく時間毎の行動に関する情報を含む行動パターン情報を記憶する内部記憶部をさらに含み、
前記異常判断部は、前記第１通信部を介して取得した前記行動に関する情報と時間毎の行動に関する情報を含む前記行動パターン情報とに基づいて、前記被監視者の異常の有無を判断するとともに、前記第１通信部を介して取得した前記行動に関する情報に基づいて、前記被監視者の異常の程度を判断するように構成されており、
前記セキュリティ装置は、前記被監視者以外の予め登録された第三者に情報を送信する第２通信部と、前記異常判断部により前記被監視者に異常があると判断された場合に、前記被監視者に異常がある旨と前記被監視者の異常の程度とに関する情報を前記第２通信部を介して送信する通知部とをさらに含み、
前記通知部は、前記異常判断部による前記被監視者の異常の程度についての判断結果に応じて、前記被監視者に異常がある旨と前記被監視者の異常の程度とに関する情報を送信する通知先を切り替えるように構成されており、
前記第２通信部は、外部記憶部を含む電子機器と通信可能に構成されており、
前記セキュリティ装置の前記内部記憶部の空き容量に基づいて、前記第２通信部を介して前記外部記憶部に前記行動パターン情報を記憶するように構成されており、
前記セキュリティ装置は、前記第１通信部を介して取得した前記行動に関する情報に基づいて、前記行動パターン情報を更新する行動パターン更新部をさらに含み、
前記異常判断部は、前記第１通信部を介して取得した前記行動に関する情報と前記行動パターン更新部により更新された行動パターン情報とに基づいて、前記被監視者の異常の有無を判断するように構成されている、セキュリティシステム。
【請求項２】
被監視者の宅内における行動を検出する行動検出部と、
前記行動検出部により検出された行動に関する情報を取得する第１通信部と、前記第１通信部を介して取得した前記行動に関する情報と前記被監視者の宅内における行動の履歴とに基づいて、前記被監視者の異常の有無を判断するとともに、前記第１通信部を介して取得した前記行動に関する情報に基づいて、前記被監視者の異常の程度を判断する異常判断部とを含むセキュリティ装置とを備え、
前記セキュリティ装置は、前記被監視者の行動の履歴に基づく時間毎の行動に関する情報を含む行動パターン情報を記憶する内部記憶部をさらに含み、
前記異常判断部は、前記第１通信部を介して取得した前記行動に関する情報と時間毎の行動に関する情報を含む前記行動パターン情報とに基づいて、前記被監視者の異常の有無を判断するとともに、前記第１通信部を介して取得した前記行動に関する情報に基づいて、前記被監視者の異常の程度を判断するように構成されている、セキュリティシステム。
【請求項３】
前記セキュリティ装置は、前記被監視者以外の予め登録された第三者に情報を送信する第２通信部と、前記異常判断部により前記被監視者に異常があると判断された場合に、前記被監視者に異常がある旨と前記被監視者の異常の程度とに関する情報を前記第２通信部を介して送信する通知部とをさらに含む、請求項２に記載のセキュリティシステム。
【請求項４】
前記通知部は、前記異常判断部による前記被監視者の異常の程度についての判断結果に応じて、前記被監視者に異常がある旨と前記被監視者の異常の程度とに関する情報を送信する通知先を切り替えるように構成されている、請求項３に記載のセキュリティシステム。
【請求項５】
前記第２通信部は、外部記憶部を含む電子機器と通信可能に構成されており、
前記セキュリティ装置の前記内部記憶部の空き容量に基づいて、前記第２通信部を介して前記外部記憶部に前記行動パターン情報を記憶するように構成されている、請求項３または４に記載のセキュリティシステム。
【請求項６】
前記セキュリティ装置は、前記第１通信部を介して取得した前記行動に関する情報に基づいて、前記行動パターン情報を更新する行動パターン更新部をさらに含み、
前記異常判断部は、前記第１通信部を介して取得した前記行動に関する情報と前記行動パターン更新部により更新された行動パターン情報とに基づいて、前記被監視者の異常の有無を判断するように構成されている、請求項２〜５のいずれか１項に記載のセキュリティシステム。
【請求項７】
前記異常判断部は、前記第１通信部を介して取得した所定の行動に関する情報の内容と前記行動パターン情報のうちの前記所定の行動に対応する情報の内容とが異なる場合に、前記被監視者に異常があると判断するように構成されている、請求項１〜６のいずれか１項に記載のセキュリティシステム。
【請求項８】
前記異常判断部は、前記第１通信部を介して取得した前記所定の行動に関する時間情報の内容が前記行動パターン情報のうちの前記所定の行動に対応する時間情報の内容に対して所定の範囲内に含まれない場合に、前記被監視者に異常があると判断するように構成されている、請求項７に記載のセキュリティシステム。
【請求項９】
前記セキュリティ装置は、前記第１通信部を介して取得した前記所定の行動に関する情報の内容と前記行動パターン情報のうちの前記所定の行動に対応する情報の内容とが異なる場合に、前記被監視者に異常がないか否かを確認するとともに異常がないことの情報を受け付ける受付部をさらに含み、
前記異常判断部は、前記受付部により前記被監視者に異常がないことの情報が受け付けられない場合に、前記被監視者に異常があると判断するように構成されている、請求項７または８に記載のセキュリティシステム。
【請求項１０】
前記セキュリティ装置は、前記被監視者に異常がないことの情報を受け付けるための受付画面を表示する表示部をさらに含み、
前記受付部は、前記表示部に表示される前記受付画面を介して、前記被監視者に異常がないことの情報を受け付けるように構成されている、請求項９に記載のセキュリティシステム。
【請求項１１】
前記異常判断部は、前記第１通信部を介して取得した前記行動に関する情報に基づいて、前記被監視者の異常の程度を少なくとも重体または軽度であると判断し、
前記通知部は、前記被監視者の異常の程度に応じた通知先に前記被監視者に異常がある旨と前記被監視者の異常の程度とに関する情報を前記第２通信部を介して送信するように構成されている、請求項１、３〜５のいずれか１項に記載のセキュリティシステム。
【請求項１２】
前記被監視者の宅内における行動に関する情報は、前記被監視者の宅内における行動に直接的に関わる情報、および、前記被監視者の宅内における行動の結果として間接的に生じる状態の情報を含む、請求項１〜１１のいずれか１項に記載のセキュリティシステム。
【請求項１３】
画像データに基づいて画像を表示可能な表示部と、
被監視者の宅内における行動を検出する行動検出部により検出された行動に関する情報を取得する通信部と、
前記通信部を介して取得した前記行動に関する情報と前記被監視者の宅内における行動の履歴とに基づいて、前記被監視者の異常の有無を判断するとともに、前記通信部を介して取得した前記行動に関する情報に基づいて、前記被監視者の異常の程度を判断する異常判断部と、
前記被監視者の行動の履歴に基づく時間毎の行動に関する情報を含む行動パターン情報を記憶する内部記憶部とを備え、
前記異常判断部は、前記通信部を介して取得した前記行動に関する情報と時間毎の行動に関する情報を含む前記行動パターン情報とに基づいて、前記被監視者の異常の有無を判断するとともに、前記通信部を介して取得した前記行動に関する情報に基づいて、前記被監視者の異常の程度を判断するように構成されている、電子フォトフレーム。
【発明の詳細な説明】
【技術分野】
【０００１】
この発明は、セキュリティシステムおよび電子フォトフレームに関し、特に、被監視者の異常に関する情報を取得するセキュリティシステムおよび電子フォトフレームに関する。
【背景技術】
【０００２】
従来、被監視者の異常に関する情報を取得するシステムが知られている（たとえば、特許文献１参照）。
【０００３】
上記特許文献１には、テレビ装置と、視聴者の異常を探知する異常探知装置とを備えるシステムが開示されている。このシステムでは、異常探知装置により、視聴者によりテレビ視聴を行う時間として予め設定された設定時刻にテレビ装置の電源が投入されているか否かを判断し、設定時刻に電源が投入されていない場合には視聴者に異常が発生したと判断する。
【０００４】
しかしながら、上記特許文献１のシステムでは、視聴者自身により予め設定された設定時刻に基づいて視聴者（被監視者）の異常の有無が判断されるので、視聴者により設定される設定時刻が視聴者の実際の使用状況に合致していない場合には、視聴者（被監視者）の異常の有無を精度よく判断することができないという不都合がある。
【０００５】
そこで、従来、被監視者の異常に関して精度よく判断することが可能なテレビジョン受像機が提案されている（たとえば、特許文献２参照）。
【０００６】
上記特許文献２には、被監視者の視聴履歴に基づく視聴パターンの情報を記憶する記憶部と、例外状況（異常）の有無を判断する制御部とを備えるテレビジョン受像機が開示されている。このテレビジョン受像機では、制御部により、視聴パターンの情報通りにテレビ番組が視聴されているか否かを判断し、視聴パターンの情報通りに視聴されていない場合には、例外状況（異常）が発生したと判断してその旨を監視者用端末に送信する。このように被監視者の視聴履歴に基づく視聴パターンの情報に基づいて例外状況（異常）の発生の有無が判断されるので、被監視者の実際の視聴状況に合致した情報に基づいて例外状況（異常）の発生の有無を精度よく判断することが可能である。
【先行技術文献】
【特許文献】
【０００７】
【特許文献１】特開２００２−２５１６８４号公報
【特許文献２】特開２００９−７７３５１号公報
【発明の概要】
【発明が解決しようとする課題】
【０００８】
しかしながら、上記特許文献２のテレビジョン受像機では、例外状況（異常）の発生の有無を精度よく判断することが可能である一方、制御部により例外状況（異常）の発生の有無だけが判断されるので、異常の状態を判断することができないという問題点がある。
【０００９】
この発明は、上記のような課題を解決するためになされたものであり、この発明の１つの目的は、被監視者の異常の有無を精度よく判断するとともに、発生した異常の状態を判断することが可能なセキュリティシステムおよび電子フォトフレームを提供することである。
【課題を解決するための手段および発明の効果】
【００１０】
この発明の第１の局面によるセキュリティシステムは、被監視者の宅内における行動を検出する行動検出部と、行動検出部により検出された行動に関する情報を取得する第１通信部と、第１通信部を介して取得した行動に関する情報と被監視者の宅内における行動の履歴とに基づいて、被監視者の異常の有無を判断するとともに、第１通信部を介して取得した行動に関する情報に基づいて、被監視者の異常の程度を判断する異常判断部とを含むセキュリティ装置とを備え、セキュリティ装置は、被監視者の行動の履歴に基づく時間毎の行動に関する情報を含む行動パターン情報を記憶する内部記憶部をさらに含み、異常判断部は、第１通信部を介して取得した行動に関する情報と時間毎の行動に関する情報を含む行動パターン情報とに基づいて、被監視者の異常の有無を判断するとともに、第１通信部を介して取得した行動に関する情報に基づいて、被監視者の異常の程度を判断するように構成されており、セキュリティ装置は、被監視者以外の予め登録された第三者に情報を送信する第２通信部と、異常判断部により被監視者に異常があると判断された場合に、被監視者に異常がある旨と被監視者の異常の程度とに関する情報を第２通信部を介して送信する通知部とをさらに含み、通知部は、異常判断部による被監視者の異常の程度についての判断結果に応じて、被監視者に異常がある旨と被監視者の異常の程度とに関する情報を送信する通知先を切り替えるように構成されており、第２通信部は、外部記憶部を含む電子機器と通信可能に構成されており、セキュリティ装置の内部記憶部の空き容量に基づいて、第２通信部を介して外部記憶部に行動パターン情報を記憶するように構成されており、セキュリティ装置は、第１通信部を介して取得した行動に関する情報に基づいて、行動パターン情報を更新する行動パターン更新部をさらに含み、異常判断部は、第１通信部を介して取得した行動に関する情報と行動パターン更新部により更新された行動パターン情報とに基づいて、被監視者の異常の有無を判断するように構成されている。
【００１１】
この発明の第１の局面によるセキュリティシステムでは、上記のように、異常判断部により、第１通信部を介して取得した行動に関する情報と被監視者の宅内における行動の履歴とに基づいて被監視者の異常の有無を判断することによって、被監視者の実際の行動状況に合致した被監視者の行動の履歴に基づいて被監視者の異常の有無を精度よく判断することができる。また、異常判断部により、第１通信部を介して取得した行動に関する情報に基づいて、被監視者の異常の程度を判断することによって、被監視者に異常が発生したことのみならず、異常の状態（程度）も判断することができる。
【００１２】
この発明の第２の局面によるセキュリティシステムは、被監視者の宅内における行動を検出する行動検出部と、行動検出部により検出された行動に関する情報を取得する第１通信部と、第１通信部を介して取得した行動に関する情報と被監視者の宅内における行動の履歴とに基づいて、被監視者の異常の有無を判断するとともに、第１通信部を介して取得した行動に関する情報に基づいて、被監視者の異常の程度を判断する異常判断部とを含むセキュリティ装置とを備え、セキュリティ装置は、被監視者の行動の履歴に基づく時間毎の行動に関する情報を含む行動パターン情報を記憶する内部記憶部をさらに含み、異常判断部は、第１通信部を介して取得した行動に関する情報と時間毎の行動に関する情報を含む行動パターン情報とに基づいて、被監視者の異常の有無を判断するとともに、第１通信部を介して取得した行動に関する情報に基づいて、被監視者の異常の程度を判断するように構成されている。このように構成すれば、時間毎の行動に関する情報に基づいて被監視者の異常の有無を判断することができるので、被監視者の実際の行動状況により合致した情報に基づいて被監視者の異常の有無をより精度よく判断することができる。
【００１３】
この場合、好ましくは、セキュリティ装置は、被監視者以外の予め登録された第三者に情報を送信する第２通信部と、異常判断部により被監視者に異常があると判断された場合に、被監視者に異常がある旨と被監視者の異常の程度とに関する情報を第２通信部を介して送信する通知部とをさらに含む。このように構成すれば、通知を受け取る第三者が、被監視者の異常の発生だけでなく異常の程度も確認することができるので、発生した異常に応じた対応をとることができる。
【００１４】
上記通知部を設ける構成において、好ましくは、通知部は、異常判断部による被監視者の異常の程度についての判断結果に応じて、被監視者に異常がある旨と被監視者の異常の程度とに関する情報を送信する通知先を切り替えるように構成されている。このように構成すれば、通知部により、異常の程度に応じた通知先（第三者）に通知を行うことができるので、発生した異常の程度に応じてより適切な対応をとることができる。
【００１５】
上記通知部を設ける構成において、好ましくは、第２通信部は、外部記憶部を含む電子機器と通信可能に構成されており、セキュリティ装置の内部記憶部の空き容量に基づいて、第２通信部を介して外部記憶部に行動パターン情報を記憶するように構成されている。このように構成すれば、セキュリティ装置の内部記憶部に十分な空き容量がない場合であっても、行動パターン情報を外部記憶部に記憶させることができる。
【００１６】
上記行動パターン情報を記憶する内部記憶部を設ける構成において、好ましくは、セキュリティ装置は、第１通信部を介して取得した行動に関する情報に基づいて、行動パターン情報を更新する行動パターン更新部をさらに含み、異常判断部は、第１通信部を介して取得した行動に関する情報と行動パターン更新部により更新された行動パターン情報とに基づいて、被監視者の異常の有無を判断するように構成されている。このように構成すれば、更新された行動パターン情報を用いて、被監視者の実際の行動状況にさらに合致した情報に基づいて被監視者の異常の有無をさらに精度よく判断することができる。
【００１７】
上記行動パターン情報を記憶する内部記憶部を設ける構成において、好ましくは、異常判断部は、第１通信部を介して取得した所定の行動に関する情報の内容と行動パターン情報のうちの所定の行動に対応する情報の内容とが異なる場合に、被監視者に異常があると判断するように構成されている。このように構成すれば、被監視者の普段の行動パターンである、被監視者の履歴に基づく行動パターンとは異なる行動がとられた場合に、容易に被監視者に異常が発生したと判断することができる。
【００１８】
上記所定の行動に関する情報の内容と行動パターン情報の対応する内容とが異なる場合に異常があると判断する構成において、好ましくは、異常判断部は、第１通信部を介して取得した所定の行動に関する時間情報の内容が行動パターン情報のうちの所定の行動に対応する時間情報の内容に対して所定の範囲内に含まれない場合に、被監視者に異常があると判断するように構成されている。このように構成すれば、被監視者により履歴に基づく時間毎の行動パターンとは異なる行動がとられた場合であっても、時間的な差異が所定の範囲内であれば異常が発生したと判断されないようにすることができる。これにより、被監視者による行動が普段の行動パターン（履歴に基づく行動パターン）に対して時間的に少しずれただけでも被監視者に異常が発生したと判断されてしまう不都合を防止することができるので、被監視者の異常の有無をさらに精度よく判断することができる。
【００１９】
上記所定の行動に関する情報の内容と行動パターン情報の対応する内容とが異なる場合に異常があると判断する構成において、好ましくは、セキュリティ装置は、第１通信部を介して取得した所定の行動に関する情報の内容と行動パターン情報のうちの所定の行動に対応する情報の内容とが異なる場合に、被監視者に異常がないか否かを確認するとともに異常がないことの情報を受け付ける受付部をさらに含み、異常判断部は、受付部により被監視者に異常がないことの情報が受け付けられない場合に、被監視者に異常があると判断するように構成されている。このように構成すれば、被監視者により普段の行動パターン（履歴に基づく行動パターン）とは異なる行動がとられた場合でも、被監視者に異常がない場合には、受付部により異常がないことの情報を受け付けて異常があると判断しないようにすることができる。これによっても、異常の有無の判断の精度を高めることができる。
【００２０】
上記受付部を設ける構成において、好ましくは、セキュリティ装置は、被監視者に異常がないことの情報を受け付けるための受付画面を表示する表示部をさらに含み、受付部は、表示部に表示される受付画面を介して、被監視者に異常がないことの情報を受け付けるように構成されている。このように構成すれば、受付画面を用いて被監視者に異常がないことの情報を入力し易くすることができる。
【００２１】
上記通知部を設ける構成において、好ましくは、異常判断部は、第１通信部を介して取得した行動に関する情報に基づいて、被監視者の異常の程度を少なくとも重体または軽度であると判断し、通知部は、被監視者の異常の程度に応じた通知先に被監視者に異常がある旨と被監視者の異常の程度とに関する情報を第２通信部を介して送信するように構成されている。このように構成すれば、たとえば、被監視者の異常の程度が重体の場合には救急施設などの専門の施設に通知し、被監視者の異常の程度が軽度の場合には親類などの身近な関係者だけに通知するなど、発生した異常の程度に応じて適切な対応をとることができる。
【００２２】
上記第１または第２の局面によるセキュリティシステムにおいて、好ましくは、被監視者の宅内における行動に関する情報は、被監視者の宅内における行動に直接的に関わる情報、および、被監視者の宅内における行動の結果として間接的に生じる状態の情報を含む。このように構成すれば、直接的な情報のみならず、間接的に生じる、たとえば電気使用量のような情報からも異常の有無および異常の程度を判断することができるので、より精度よく異常の有無および異常の程度を判断することができる。
【００２３】
この発明の第３の局面による電子フォトフレームは、画像データに基づいて画像を表示可能な表示部と、被監視者の宅内における行動を検出する行動検出部により検出された行動に関する情報を取得する通信部と、通信部を介して取得した行動に関する情報と被監視者の宅内における行動の履歴とに基づいて、被監視者の異常の有無を判断するとともに、通信部を介して取得した行動に関する情報に基づいて、被監視者の異常の程度を判断する異常判断部と、被監視者の行動の履歴に基づく時間毎の行動に関する情報を含む行動パターン情報を記憶する内部記憶部とを備え、異常判断部は、通信部を介して取得した行動に関する情報と時間毎の行動に関する情報を含む行動パターン情報とに基づいて、被監視者の異常の有無を判断するとともに、通信部を介して取得した行動に関する情報に基づいて、被監視者の異常の程度を判断するように構成されている。
【００２４】
この発明の第２の局面による電子フォトフレームでは、上記のように、異常判断部により、通信部を介して取得した行動に関する情報と被監視者の宅内における行動の履歴とに基づいて被監視者の異常の有無を判断することによって、被監視者の実際の行動状況に合致した被監視者の行動の履歴に基づいて被監視者の異常の有無を精度よく判断することができる。また、異常判断部により、通信部を介して取得した行動に関する情報に基づいて、被監視者の異常の程度を判断することによって、被監視者に異常が発生したことのみならず、異常の状態（程度）も判断することができる。
【図面の簡単な説明】
【００２５】
【図１】本発明の一実施形態によるセキュリティシステムの構成を示した概略図である。
【図２】本発明の一実施形態によるセキュリティシステムが備えるデジタルフォトフレームの構成を示したブロック図である。
【図３】本発明の一実施形態によるセキュリティシステムの行動・状態パターンテーブルを示した図である。
【図４】本発明の一実施形態によるセキュリティシステムの異常程度判定テーブルを示した図である。
【図５】本発明の一実施形態によるセキュリティシステムの異常判断処理を説明するためのフローチャートである。
【図６】本発明の一実施形態によるセキュリティシステムの正常確認画面を示した図である。
【図７】図５に示した異常判断処理のステップＳ１３における異常連絡処理を説明するためのフローチャートである。
【発明を実施するための形態】
【００２６】
以下、本発明を具体化した実施形態を図面に基づいて説明する。
【００２７】
まず、図１〜図４を参照して、本発明の一実施形態によるセキュリティシステム１００の構成について説明する。
【００２８】
本発明の一実施形態によるセキュリティシステム１００は、図１に示すように、デジタルフォトフレーム１と、人感センサ２ａ、２ｂ、２ｃおよび２ｄと、玄関ドア開閉センサ３と、カレントセンサ４とを備えている。人感センサ２ａ〜２ｄ、玄関ドア開閉センサ３およびカレントセンサ４は、デジタルフォトフレーム１に通信可能に接続されている。なお、デジタルフォトフレーム１は、本発明の「セキュリティ装置」および「電子フォトフレーム」の一例である。また、人感センサ２ａ〜２ｄ、玄関ドア開閉センサ３およびカレントセンサ４は、本発明の「行動検出部」の一例である。
【００２９】
デジタルフォトフレーム１は、図１に示すように、ルータ５を介してインターネットに接続されている。また、デジタルテレビジョン装置６、ＤＶＤプレーヤ７、ＰＣ（パーソナルコンピュータ）８およびオーディオ装置９も、それぞれ、ルータ５を介してインターネットに接続されている。また、デジタルフォトフレーム１、デジタルテレビジョン装置６、ＤＶＤプレーヤ７、ＰＣ８およびオーディオ装置９により、ルータ５を介してホームネットワークとしてのＬＡＮ（Ｌｏｃａｌ  Ａｒｅａ  Ｎｅｔｗｏｒｋ）が構築されている。この場合、ルータ５は、ＬＡＮからなるホームネットワーク上での相互通信を可能にするハブ機能を有する。また、デジタルフォトフレーム１、ルータ５、デジタルテレビジョン装置６、ＤＶＤプレーヤ７、ＰＣ８およびオーディオ装置９は、それぞれ、同一の宅内に設置されている。
【００３０】
デジタルフォトフレーム１は、図１に示すように、正面から見て矩形形状を有する本体部１０を備えている。本体部１０の正面側の表面には、矩形形状の表示部１１が設けられている。また、本体部１０の正面側の表面には、表示部１１に隣接して操作部１２が配置されている。また、本体部１０の側面には、メディア接続部１３が設けられている。また、図２に示すように、本体部１０の内部には、フラッシュＲＯＭ（ＦＬＡＳＨ  ＲＯＭ）１４、ＲＡＭ１５、無線ネットワーク通信部１６ａ、有線ネットワーク通信部１６ｂ、セキュリティネットワーク通信部１６ｃ、電源システム部１７、ＲＴＣ（Ｒｅａｌ  Ｔｉｍｅ  Ｃｌｏｃｋ）１８、および、制御部（ＣＰＵ）１９が設けられている。
【００３１】
表示部１１は、液晶ディスプレイからなり、メディア接続部１３に接続されたメディア（図示せず）に記憶されるデジタル画像を表示可能に構成されている。また、表示部１１は、後述するように、制御部１９からの指示に基づいて、画像の表示態様の変更や色調の調整などを行うための設定画面やその他の各種の画面を表示することが可能である。画像の表示態様としては、１つの画像（写真画像）を表示する固定表示、複数の画像（写真画像）を所定間隔で切り替えながら表示するスライドショー表示、および時計表示がある。
【００３２】
操作部１２は、表示部１１に表示される各種の画面において、表示された項目を選択して決定するために設けられている。また、ユーザは、操作部１２を用いて、デジタル画像の削除やコピーを指示することも可能である。
【００３３】
メディア接続部１３は、ＳＤメモリカード（Ｓｅｃｕｒｅ  Ｄｉｇｉｔａｌ  Ｍｅｍｏｒｙ  Ｃａｒｄ）（登録商標）、ｘＤピクチャカード（登録商標）、ＣＦカード（Ｃｏｍｐａｃｔ  Ｆｌａｓｈ  Ｃａｒｄ）（登録商標）、メモリスティック（登録商標）などの各種メディアに対応可能に構成されている。
【００３４】
フラッシュＲＯＭ１４は、書き換え可能な不揮発性メモリであり、メディア接続部１３を介して読み取られた各種メディア内の画像データを記憶することが可能である。また、フラッシュＲＯＭ１４には、図３に示すような行動・状態パターンテーブル１４１と、図４に示すような異常程度判定テーブル１４２とが格納されている。なお、フラッシュＲＯＭ１４は、本発明の「内部記憶部」の一例である。
【００３５】
行動・状態パターンテーブル１４１には、図３に示すように、被監視者の宅内における行動の履歴に基づいて得られた時間毎の行動パターンが含まれている。さらに、行動・状態パターンテーブル１４１には、被監視者の宅内における行動の履歴に基づいて得られた１日当たりの電気使用量に関する情報も含まれている。具体的には、行動・状態パターンテーブル１４１には、複数の検出時間、各検出時間における検出位置、および、検出位置に対応する行動内容の情報が含まれている。検出時間および検出位置の情報は、被監視者の宅内における行動の履歴に基づいて得られた情報である。また、これらの情報は、被監視者の行動の履歴に基づいて所定の期間（本実施形態では１週間）ごとに更新される。
【００３６】
また、行動・状態パターンテーブル１４１には、正常範囲を示す時間情報が含まれている。正常範囲とは、後述するように、各センサ（人感センサ２ａ〜２ｄ、玄関ドア開閉センサ３およびカレントセンサ４）により得られた検知結果と行動・状態パターンテーブル１４１の内容とが比較されて異常の可能性が判断される際に、正常と判断される許容範囲である。たとえば、図３に示す行動・状態パターンテーブル１４１の例では、検出時間が６時３０分、検出位置（行動内容）がトイレ（起床）、正常範囲が±１時間なので、被監視者が５時３０分（６時３０分−１時間）から７時３０分（６時３０分＋１時間）の間にトイレに行った場合には、制御部１９により正常と判断される。また、１日当たりの電気使用量については、電気量の正常範囲（許容範囲）が設けられている。また、正常範囲の値は、各行動内容に応じてユーザにより設定可能である。さらに、行動・状態パターンテーブル１４１には、トイレ（起床）および風呂（入浴）における最大滞在時間の情報が含まれている。なお、行動・状態パターンテーブル１４１は、本発明の「行動パターン情報」の一例である。
【００３７】
異常程度判定テーブル１４２には、図４に示すように、被監視者に発生した異常の程度を判定するための判定条件の情報が含まれている。本実施形態では、後述するように、被監視者の異常は、制御部１９により、重体、重症および軽度の３つの程度に分類される。重体と判定するための条件は、被監視者が風呂に２時間以上滞在した場合、または、トイレに２時間以上滞在した場合であり、重症と判定するための条件は、トイレに１時間以上滞在した場合である。また、軽度と判定するための条件は、被監視者に異常が発生したと判断され、かつ、上記重体および重症の条件以外の場合である。
【００３８】
ＲＡＭ１５は、揮発性メモリであり、制御部１９の作業領域として利用される。
【００３９】
無線ネットワーク通信部１６ａは、ルータ５との間で無線通信を行うために設けられている。本体部１０は、無線ネットワーク通信部１６ａを介してルータ５に無線で接続されることによって、ルータ５を介してネットワーク（インターネットおよびＬＡＮ）に接続可能である。なお、無線ネットワーク通信部１６ａは、本発明の「第２通信部」の一例である。
【００４０】
有線ネットワーク通信部１６ｂは、ルータ５との間で有線通信を行うために設けられている。本実施形態では、本体部１０は無線ネットワーク通信部１６ａによりルータ５に無線接続されており、有線ネットワーク通信部１６ｂは使用されていない。
【００４１】
セキュリティネットワーク通信部１６ｃは、各センサ（人感センサ２ａ〜２ｄ、玄関ドア開閉センサ３およびカレントセンサ４）との間で無線通信を行うために設けられている。本体部１０は、セキュリティネットワーク通信部１６ｃを介して、各センサにより検出される被監視者の行動に関する情報を取得する。なお、セキュリティネットワーク通信部１６ｃは、本発明の「第１通信部」および「通信部」の一例である。
【００４２】
電源システム部１７は、本体部１０の各部に電力を供給する機能を有している。具体的には、電源システム部１７は、制御部１９からの指示によって、本体部１０の各部に電力を供給しない状態（電源オフ状態）、および、本体部１０の全体に電力を供給する状態（通常動作状態）に切り替わるように構成されている。
【００４３】
ＲＴＣ１８は、時計として機能し、電源システム部１７が上記いずれの状態の場合であっても、現在時刻を刻み続けるように構成されている。すなわち、ＲＴＣ１８は、本体部１０が電源オフ状態および通常動作状態のいずれの場合であっても動作し続けるように構成されている。また、ＲＴＣ１８は、表示部１１に時計を表示する際に現在時刻を取得するのに用いられる。
【００４４】
制御部１９は、ＣＰＵからなり、図示しないコンピュータプログラムを実行することにより本体部１０の各部の動作を制御するように構成されている。また、制御部１９は、後述するように、各センサ（人感センサ２ａ〜２ｄ、玄関ドア開閉センサ３およびカレントセンサ４）により取得された検知結果（被監視者の行動に関する情報）と行動・状態パターンテーブル１４１の情報とに基づいて、被監視者の異常の有無を判断するように構成されている。また、制御部１９は、各センサにより取得された検知結果（被監視者の行動に関する情報）と異常程度判定テーブル１４２とに基づいて、被監視者の異常の程度を判定するように構成されている。また、制御部１９は、被監視者に異常が発生したと判断した場合に、Ｅメール（Ｅｌｅｃｔｒｏｎｉｃ  Ｍａｉｌ）を用いて、予め設定された連絡先に異常が発生した旨と異常の程度を示す情報とを通知する機能を有している。このＥメールは、インターネットを介して所定の連絡先に送信される。なお、制御部１９は、本発明の「異常判断部」、「通知部」、「行動パターン更新部」および「受付部」の一例である。
【００４５】
人感センサ２ａ〜２ｄは、赤外線を用いて所定範囲内の温度変化を検知する機能を有している。すなわち、人感センサ２ａ〜２ｄは、被監視者の行動に直接的に関わる情報としての、被監視者が所定範囲の内外に移動する際の温度変化を検知する。また、人感センサ２ａ〜２ｄは、検知結果をデジタルフォトフレーム１に送信するように構成されている。また、人感センサ２ａは、宅内の寝室に設置されて寝室内の温度変化を検知し、人感センサ２ｂは、宅内の風呂に設置されて風呂内の温度変化を検知する。また、人感センサ２ｃは、宅内のトイレに設置されてトイレ内の温度変化を検知し、人感センサ２ｄは、宅内の台所に設置されて台所内の温度変化を検知する。
【００４６】
玄関ドア開閉センサ３は、玄関ドアに設けられ、玄関ドアの開閉状態を検知する機能を有している。すなわち、玄関ドア開閉センサ３は、被監視者の行動に直接的に関わる情報としての、被監視者が玄関ドアから出入りする際の開閉状態を検知する。また、玄関ドア開閉センサ３は、検知結果をデジタルフォトフレーム１に送信するように構成されている。
【００４７】
カレントセンサ４は、宅内で使用される電気量を検出するために設けられている。具体的には、カレントセンサ４は、電気メータに取り付けられて宅内の電気使用量を検出するように構成されている。すなわち、カレントセンサ４は、被監視者の宅内における行動の結果間接的に生じる状態の情報としての、被監視者による宅内での電気使用量を検出する。また、カレントセンサ４は、検出結果をデジタルフォトフレーム１に送信するように構成されている。
【００４８】
ルータ５は、デジタルフォトフレーム１、デジタルテレビジョン装置６、ＤＶＤプレーヤ７、ＰＣ８およびオーディオ装置９をネットワーク（インターネットおよびＬＡＮ）に接続する中継機器として機能するように構成されている。
【００４９】
次に、図３、図５および図６を参照して、本発明の一実施形態によるセキュリティシステム１００の異常判断処理について説明する。なお、本実施形態では、デジタルフォトフレーム１の制御部１９により図示しないコンピュータプログラムが実行されることによって、異常判断処理が実施される。また、制御部１９は、デジタルフォトフレーム１が通常動作状態の場合に継続的に異常判断処理を実行する。
【００５０】
ユーザによりデジタルフォトフレーム１の本体部１０の電源がオン状態にされると、制御部１９は、ステップＳ１において、本体部１０を通常動作状態にする。その後、制御部１９は、ステップＳ２において、フラッシュＲＯＭ１４から行動・状態パターンテーブル１４１を読み出し、ステップＳ３において、各センサ（人感センサ２ａ〜２ｄ、玄関ドア開閉センサ３およびカレントセンサ４）から検知結果を取得する。この際、後述するように、行動・状態パターンテーブル１４１が更新されている場合には、制御部１９は、更新済みの行動・状態パターンテーブル１４１を読み出す。
【００５１】
ここで、本実施形態では、制御部１９は、ステップＳ４において、被監視者に異常が発生した可能性があるか否かを判断する。具体的には、制御部１９は、取得した各センサからの検知結果と行動・状態パターンテーブル１４１の内容とが異なるか否かを判断する。すなわち、制御部１９により、被監視者の所定の行動が行動・状態パターンテーブル１４１の所定の行動に対応する正常範囲（許容範囲）内で行われたか否かが判断される。
【００５２】
たとえば、図３に示す行動・状態パターンテーブル１４１の例では、風呂（入浴）について、検出時間が２０時１０分、正常範囲が±１時間であるため、風呂に設置された人感センサ２ｂにより、１９時１０分（２０時１０分−１時間）から２１時１０分（２０時１０分＋１時間）の間に被監視者の風呂への移動が検知されたか否かが判断される。そして、検知されなかった場合には、制御部１９は、被監視者に異常が発生した可能性があると判断する。また、風呂（入浴）については、最大滞在時間が２時間に設定されているため、１９時１０分（２０時１０分−１時間）から２１時１０分（２０時１０分＋１時間）の間に被監視者の風呂への移動が検知された場合であっても、被監視者の風呂での滞在時間が２時間を超えた場合には、制御部１９は、異常の可能性があると判断する。また、電気使用量に関しては、２２時の時点において、１日当たりの電気使用量が７ｋＷｈ（１０ｋＷｈ−３ｋＷｈ）から１３ｋＷｈ（１０ｋＷｈ＋３ｋＷｈ）の間であるか否かが判断され、電気使用量がその範囲外である場合には被監視者に異常が発生した可能性があると判断する。
【００５３】
そして、異常の可能性がない（正常）場合には、ステップＳ１に戻り、異常の可能性がある場合には、ステップＳ５において、制御部１９は、表示部１１に図６に示す正常確認画面１１１を表示させる。正常確認画面１１１には、被監視者に対して普段の行動パターンとは異なる行動がとられた旨、および、異常がない場合には異常がないことを示す正常ボタン１１１ａを押下するよう促す内容が含まれている。異常がない場合には、被監視者は正常ボタン１１１ａを押下することによって、デジタルフォトフレーム１に対して異常がないことの情報を入力することが可能である。なお、正常確認画面１１１は、本発明の「受付画面」の一例である。
【００５４】
ステップＳ６において、制御部１９は、正常ボタン１１１ａが押下されたか否かを判断し、押下された場合には、ステップＳ７において、フラッシュＲＯＭ１４に十分な空き容量があるか否かを判断する。フラッシュＲＯＭ１４に十分な空き容量がある場合には、制御部１９は、ステップＳ８において、行動・状態パターンテーブル１４１の内容とは異なる各センサから取得された検知結果の情報をフラッシュＲＯＭ１４に格納する。また、フラッシュＲＯＭ１４に十分な空き容量がない場合には、制御部１９は、ステップＳ９において、行動・状態パターンテーブル１４１の内容とは異なる各センサから取得された検知結果の情報をＰＣ８の記憶部に格納する。この際、格納される情報はＬＡＮを介してＰＣ８に送信され、ＰＣ８はサーバとして機能する。なお、ＰＣ８は、本発明の「外部記憶部」の一例である。
【００５５】
そして、制御部１９は、ステップＳ１０において、フラッシュＲＯＭ１４およびＰＣ８に格納された情報に基づいて、行動・状態パターンテーブル１４１を更新する。具体的には、制御部１９は、直近の１週間に格納された情報を平均化し、平均化された情報に基づいて行動・状態パターンテーブル１４１を更新する。たとえば、被監視者によるトイレ（起床）への移動が直近の１週間の平均で８時３０分である場合には、制御部１９により、行動・状態パターンテーブル１４１のトイレ（起床）の検出時間が６時３０分から８時３０分に変更される。
【００５６】
一方、ステップＳ６において、正常ボタン１１１ａが押下されていなければ、ステップＳ１１において、正常確認画面１１１を表示してから所定時間（たとえば、１０分）が経過したか否かを判断する。制御部１９は、被監視者によって正常ボタン１１１ａが押下されるか、または、所定時間が経過するまで、ステップＳ５、Ｓ６およびＳ１１の動作を繰り返す。そして、所定時間が経過すると、制御部１９は、ステップＳ１２において、被監視者に異常が発生したと判断する。すなわち、取得した各センサからの検知結果と行動・状態パターンテーブル１４１の内容とが異なり、かつ、所定時間内に異常がないことの情報が受け付けられない場合に、制御部１９は、被監視者に異常が発生したと判断する。その後、制御部１９は、ステップＳ１３において、異常連絡処理を実行する。
【００５７】
次に、図４および図７を参照して、図５のステップＳ１３における異常連絡処理について説明する。
【００５８】
まず、ステップＳ１３１において、制御部１９は、フラッシュＲＯＭ１４から異常程度判定テーブル１４２を読み出す。そして、制御部１９は、ステップＳ１３２において、各センサ（人感センサ２ａ〜２ｄ、玄関ドア開閉センサ３およびカレントセンサ４）から取得された検知結果と異常程度判定テーブル１４２とを参照して、被監視者の異常の程度が重体か否かを判断する。被監視者が風呂に２時間以上滞在している場合、または、トイレに２時間以上滞在している場合には、制御部１９は、重体と判断して、ステップＳ１３３、Ｓ１３４およびＳ１３５において、それぞれ、救急センタ、近隣の知人および親類に連絡する。具体的には、デジタルフォトフレーム１には、通知先として救急センタ、近隣の知人および親類の連絡先が予め登録されており、制御部１９により、登録された救急センタ、近隣の知人および親類に対して、インターネットを介してＥメールが送信される。送信されるＥメールには、被監視者に異常が発生した旨と異常の程度が重体である旨とが記されている。
【００５９】
ステップＳ１３２において、重体ではないと判断した場合には、制御部１９は、ステップＳ１３６において、異常の程度が重症か否かを判断する。そして、被監視者がトイレに１時間以上滞在している場合には、制御部１９は、重症と判断して、ステップＳ１３７において、重症としてすでに所定の通知先に連絡済みか否かを判断する。これにより、繰り返し同じ通知がなされるのを防止することが可能である。そして、すでに連絡済みの場合には、そのまま異常連絡処理を終了し、まだ連絡していない場合には、ステップＳ１３８およびＳ１３９において、それぞれ、近隣の知人および親類に連絡する。この場合、送信されるＥメールには、被監視者に異常が発生した旨と異常の程度が重症である旨とが記されている。
【００６０】
ステップＳ１３６において、重症ではないと判断した場合には、制御部１９は、ステップＳ１４０において、軽度としてすでに所定の通知先に連絡済みか否かを判断する。すでに連絡済みの場合には、そのまま異常連絡処理を終了し、まだ連絡していない場合には、ステップＳ１４１において、親類のみに連絡する。この場合、送信されるＥメールには、被監視者に異常が発生した旨と異常の程度が軽度である旨とが記されている。
【００６１】
図７に示した異常連絡処理が終了されると、制御部１９は、ステップＳ１に戻り、異常判断処理を継続して実行する。
【００６２】
本実施形態では、上記のように、制御部１９により、セキュリティネットワーク通信部１６ｃを介して取得した検知結果（行動に関する情報）と被監視者の宅内における行動の履歴とに基づいて被監視者の異常の有無を判断することによって、被監視者の実際の行動状況に合致した被監視者の行動の履歴に基づいて被監視者の異常の有無を精度よく判断することができる。また、制御部１９により、セキュリティネットワーク通信部１６ｃを介して取得した検知結果（行動に関する情報）に基づいて、被監視者の異常の程度を判断することによって、被監視者に異常が発生したことのみならず、異常の状態（程度）も判断することができる。
【００６３】
また、本実施形態では、セキュリティネットワーク通信部１６ｃを介して取得した検知結果（行動に関する情報）と、被監視者の行動の履歴に基づく時間毎の行動に関する情報を含む行動・状態パターンテーブル１４１とに基づいて、被監視者の異常の有無を判断するとともに、セキュリティネットワーク通信部１６ｃを介して取得した検知結果（行動に関する情報）に基づいて、被監視者の異常の程度を判断することによって、時間毎の行動に関する情報に基づいて被監視者の異常の有無を判断することができるので、被監視者の実際の行動状況により合致した情報に基づいて被監視者の異常の有無を精度よく判断することができる。
【００６４】
また、本実施形態では、制御部１９により、被監視者に異常があると判断された場合に、被監視者に異常がある旨と被監視者の異常の程度とに関する情報を無線ネットワーク通信部１６ａを介して通知することによって、通知を受け取る第三者（救急センタ、近隣の知人および親類）が、被監視者の異常の発生だけでなく異常の程度も確認することができるので、発生した異常に応じた対応をとることができる。
【００６５】
また、本実施形態では、制御部１９による被監視者の異常の程度についての判断結果に応じて通知先を切り替えることによって、異常の程度に応じた通知先（第三者）に通知を行うことができるので、発生した異常の程度に応じてより適切な対応をとることができる。
【００６６】
また、本実施形態では、制御部１９により、セキュリティネットワーク通信部１６ｃを介して取得した検知結果（行動に関する情報）に基づいて、行動・状態パターンテーブル１４１を更新することによって、更新された行動・状態パターンテーブル１４１を用いて、被監視者の実際の行動状況により合致した情報に基づいて被監視者の異常の有無を精度よく判断することができる。
【００６７】
また、本実施形態では、制御部１９により、セキュリティネットワーク通信部１６ｃを介して取得した所定の行動に関する検知結果と行動・状態パターンテーブル１４１のうちの所定の行動に対応する内容とが異なる場合に、被監視者に異常があると判断することによって、被監視者の普段の行動パターンである、被監視者の履歴に基づく行動パターンとは異なる行動がとられた場合に、容易に被監視者に異常が発生したと判断することができる。
【００６８】
また、本実施形態では、セキュリティネットワーク通信部１６ｃを介して取得した所定の行動に関する検知結果と行動・状態パターンテーブル１４１のうちの所定の行動に対応する内容とが異なり、かつ、異常がないことの情報が受け付けられない場合に、被監視者に異常があると判断することによって、普段の行動パターン（履歴に基づく行動パターン）とは異なる行動がとられた場合でも、被監視者に異常がない場合には、異常がないことの情報を受け付けて異常があると判断しないようにすることができる。これにより、異常の有無の判断の精度を高めることができる。
【００６９】
また、本実施形態では、制御部１９により、被監視者の宅内における行動に直接的に関わる情報（人感センサ２ａ〜２ｄおよび玄関ドア開閉センサ３による検知結果）、および、被監視者の宅内における行動の結果として間接的に生じる状態の情報（カレントセンサ４により検出される電気使用量）に基づいて、異常の有無および異常の程度を判断することによって、直接的な情報のみならず、間接的に生じる情報からも異常の有無および異常の程度を判断することができるので、より精度よく異常の有無および異常の程度を判断することができる。
【００７０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７１】
たとえば、上記実施形態では、セキュリティ装置の一例として、デジタルフォトフレームを示したが、本発明はこれに限らず、デジタルフォトフレーム以外の他の電子機器をセキュリティ装置として用いてもよい。この際、セキュリティ装置として、デジタルフォトフレームのように、通常、常時通常動作状態（電源オン状態）としておくような電子機器を用いるのが好ましい。
【００７２】
また、上記実施形態では、行動検出部の一例として、人感センサ、玄関ドア開閉センサおよびカレントセンサを示したが、本発明はこれに限らず、被監視者の宅内における行動に関する情報を取得可能であれば、たとえば、テレビの視聴状態を検知する検知機器や被監視者を撮像する監視カメラなどであってもよい。
【００７３】
また、上記実施形態では、４つの人感センサ、１つの玄関ドア開閉センサおよび１つのカレントセンサの計６つの行動検出部を設ける構成の例を示したが、本発明はこれに限らず、たとえば、１つの行動検出部のみ設ける構成であってもよいし、６つよりも多い行動検出部を設ける構成であってもよい。この際、設ける行動検出部は、異なる種類のものを組み合わせてもよいし、１種類、たとえば人感センサのみを複数設ける構成であってもよい。
【００７４】
また、上記実施形態では、通知部としての制御部により、異常がある旨と異常の程度とをＥメールを用いて通知する構成の例を示したが、本発明はこれに限らず、たとえば、音声で通知するボイスメール（ＶＯＩＣＥ  Ｍａｉｌ）など、Ｅメール以外の方法を用いて通知する構成であってもよい。また、通知先や異常の程度に応じて、通知する方法（Ｅメールやボイスメールなど）を切り替えてもよい。
【００７５】
また、上記実施形態では、通知部としての制御部により、異常がある旨と異常の程度とを通知する構成の例を示したが、本発明はこれに限らず、異常がある旨だけを通知する構成であってもよい。
【００７６】
また、上記実施形態では、通知先として、救急センタ、近隣の知人および親類を登録する構成の例を示したが、本発明はこれに限らず、たとえば、セキュリティ会社など上記３者以外を通知先として登録してもよい。また、３者よりも少ない数の通知先を登録してもよいし、３者よりも多い数の通知先を登録してもよい。
【００７７】
また、上記実施形態では、異常の程度に応じて、通知先を切り替える構成の例を示したが、本発明はこれに限らず、異常の程度に応じて、通知先を切り替えず、通知する内容だけを切り替える構成であってもよい。
【００７８】
また、上記実施形態では、受付部としての制御部により、受付画面としての正常確認画面を介して異常がないことの情報を受け付ける構成の例を示したが、本発明はこれに限らず、制御部により、受付画面を介さずに異常がないことの情報を受け付ける構成であってもよい。この場合、たとえば、音声によって普段と異なる行動がとられたことを被監視者に知らせ、デジタルフォトフレームの本体に設けられた所定のボタンが押下された場合に、異常がないことの情報を受け付ける構成であってもよい。
【００７９】
また、上記実施形態では、異常判断部としての制御部により、異常の程度を重体、重症および軽度の３段階に分類する構成の例を示したが、本発明はこれに限らず、重体および軽度の２段階に分類する構成であってもよいし、３段階よりも多くに分類する構成であってもよい。
【００８０】
また、上記実施形態では、行動パターン情報の一例として、１日の行動についての行動・状態パターンテーブルを示したが、本発明はこれに限らず、１週間の行動についての行動パターン情報であってもよいし、曜日毎に異なる行動パターン情報を用いてもよい。
【００８１】
また、上記実施形態では、平均化された直近の１週間の情報に基づいて、行動パターン情報としての行動・状態パターンテーブルを更新する構成の例を示したが、本発明はこれに限らず、各日の情報に基づいて行動・状態パターンテーブルを更新する構成であってもよいし、１週間以外の、たとえば１０日間の情報に基づいて行動・状態パターンテーブルを更新する構成であってもよい。
【００８２】
また、上記実施形態では、異常程度判定テーブルを用いて被監視者の異常の程度を判定する構成の例を示したが、本発明はこれに限らず、異常程度判定テーブルを用いずに、異常の程度を判定する構成であってもよい。
【００８３】
また、上記実施形態では、行動パターン情報としての行動・状態パターンテーブルをデジタルフォトフレーム（セキュリティ装置）のフラッシュＲＯＭ（内部記憶部）に記憶する例を示したが、本発明はこれに限らず、内部記憶部の空き容量に基づいて外部記憶部としてのＰＣに行動・状態パターンテーブルを記憶してもよい。
【符号の説明】
【００８４】
１  デジタルフォトフレーム（セキュリティ装置、電子フォトフレーム）
２ａ、２ｂ、２ｃ、２ｄ  人感センサ（行動検出部）
３  玄関ドア開閉センサ（行動検出部）
４  カレントセンサ（行動検出部）
８  ＰＣ（外部記憶部）
１１  表示部
１４  フラッシュＲＯＭ（内部記憶部）
１６ａ  無線ネットワーク通信部（第２通信部）
１６ｃ  セキュリティネットワーク通信部（第１通信部、通信部）
１９  制御部（異常判断部、通知部、行動パターン更新部、受付部）
１００  セキュリティシステム
１１１  正常確認画面（受付画面）
１４１  行動・状態パターンテーブル（行動パターン情報）
【図１】
0005504809.tif 000002
【図２】
0005504809.tif 000003
【図３】
0005504809.tif 000004
【図４】
0005504809.tif 000005
【図５】
0005504809.tif 000006
【図６】
0005504809.tif 000007
【図７】
0005504809.tif 000008